(57)【要約】【課題】再生信号にノイズが重畳することを抑制し、エラーレートを向上させることができる再生信号生成回路、これを搭載した光ディスク装置、及びその再生方法を提供すること。【解決手段】光ディスク装置は、光ディスクにレーザ光を照射する照射部と、前記光ディスクのトラック方向に少なくとも２分割され、光ディスクからの戻り光を電気信号に変換して検出信号を出力するフォトディテクタと、フォトディテクタからの検出信号に基づきＲＦ信号ＳＲＦを生成する再生信号生成部１０とを有する。再生信号生成部１０は、ヘッダ部のＲＦ信号ＳＲＦを生成する場合には、４分割フォトディテクタのうちトラック方向に分割した一方側からの検出信号Ｓａ＋Ｓｄか、他方側からの検出信号Ｓｂ＋Ｓｃに基づき生成する。データ部のＲＦ信号ＳＲＦは、検出信号Ｓａ〜Ｓｄの総和信号に基づき生成する。【選択図】  図２
2007257677.tif 000002
【特許請求の範囲】
【請求項１】
光ディスクにレーザ光を照射する照射部と、
前記光ディスクのトラック方向に少なくとも２分割され、光ディスクからの戻り光を電気信号に変換して検出信号を出力するフォトディテクタと、
フォトディテクタからの検出信号に基づき再生信号を生成する再生信号生成部とを有し、
前記再生信号生成部は、再生領域に応じて前記フォトディテクタからの検出信号の一部又は全部を選択的に使用し、前記再生信号を生成する光ディスク装置。
【請求項２】
前記再生信号生成部は、アドレス情報を生成する際は、前記フォトディテクタからの検出信号の一部を使用し、前記再生信号を生成する
ことを特徴とする請求項１記載の光ディスク装置。
【請求項３】
前記再生信号生成部は、前記トラック方向に少なくとも２分割されたフォトディテクタの一方による第１検出信号と、他方による第２検出信号と、第１及び第２の検出信号の和信号のいずれかを選択的に使用し、ＲＦ信号を生成する
ことを特徴とする請求項１又は２記載の光ディスク装置。
【請求項４】
前記再生信号生成部は、前記フォトディテクタからの前記第１検出信号、前記第２検出信号を選択出力させる制御部を有し、
前記制御部は、所定のタイミングで、前記第１検出信号、第２検出信号、又は第１及び第２の検出信号の和信号を選択出力させる
ことを特徴とする請求項３記載の光ディスク装置。
【請求項５】
前記光ディスクはランド及びグルーブにアドレス情報が記録されたヘッダ部及びデータが記録されたデータ部を有し、
前記再生信号生成部は、前記データ部の再生時には、前記第１検出信号及び第２検出信号の和信号に基づき再生信号を生成し、前記ヘッダ部の再生時には、前記第１検出信号又は第２検出信号に基づき再生信号を生成する
ことを特徴とする請求項３又は４記載の光ディスク装置。
【請求項６】
光ディスクにレーザ光を照射する照射部と、前記光ディスクのトラック方向に少なくとも２分割され、光ディスクからの戻り光を電気信号に変換して検出信号を出力するフォトディテクタと、フォトディテクタからの検出信号に基づき再生信号を生成する再生信号生成部とを有する光ディスク装置の再生方法であって、
アドレス情報を再生する際は、前記フォトディテクタからの一部の検出信号を使用して前記再生信号を生成する光ディスク装置の再生方法。
【請求項７】
光ディスクにレーザ光を照射した戻り光を少なくとも２分割されたフォトディテクタにて検出し、当該検出信号から再生信号を生成する生成信号処理回路であって、
アドレス情報を再生する際は、前記フォトディテクタからの一部の検出信号を使用して前記再生信号を生成する再生信号生成回路。
【発明の詳細な説明】
【技術分野】
【０００１】
本発明は、ＤＶＤ（Digital Versatile Disk）−ＲＡＭに対応可能な再生信号生成回路、ディスク装置及びその再生方法に関し、特に、隣接トラックからのクロストーク信号の影響の低減を図った再生信号生成回路及びこれを搭載したディスク装置及びその再生方法、並びに再生信号生成回路に関する。
【背景技術】
【０００２】
近年の光ディスク技術の発展に伴い、対応する光メディアが多様になってきた。そこで、光ディスク装置としては、ＤＶＤ±Ｒ、ＲＷ、及びＤＶＤ−ＲＡＭのすべてに対応するスーパーマルチディスクドライブとすることが必要不可欠になってきている。その中で、ＤＶＤ−ＲＡＭメディアの記録及び再生時のエラーレートの向上が重要課題になっている。
【０００３】
ＤＶＤ−ＲＡＭの記録容量は片面当たり２．６ＧＢ（両面５．２ＧＢ）または４．７ＧＢ（両面９．４ＧＢ）と高密度記録の仕様である。この高記録密度を実現するために、記録の線密度向上に有利なマークエッジ記録とともに、狭トラックピッチ化で有利なランド・グルーブ記録方式を用いている。ランド・グルーブ記録方式では、溝内にのみ記録するのではなく、高記録密度のために溝と溝の間のランド部にも記録する。
【０００４】
図７は、ＤＶＤ−ＲＡＭのフォーマットを示す模式図である。アドレス信号はＰＩＤ（Physical ID）としてＣＡＰＡ（Complimentary Allocated Pit Addressing）という方式で、１セクタ毎に記録されている。ＣＡＰＡはＰＩＤを記録するピットを、データの記録トラック（ランドまたはグルーブ）に対し１／２トラックずらして記録する方式である。グルーブトラッキング時のアドレスは、後ろ側のＣＡＰＡ信号から得られ、ランドトラッキング時のアドレスは前側のＣＡＰＡ信号から得ることができる。
【０００５】
また各ゾーン内では、ディスクをＣＡＶで動作させるため、ＣＡＰＡは半径方向に整列している。また、ＣＡＰＡとＣＡＰＡの間のデータ記録部分（ランドまたはグルーブ）はウォブルされている。このウォブルを数えることにより次のＣＡＰＡの位置を正確に把握することができる。
【０００６】
セクタは、アドレスが記録されたＣＡＰＡの部分と、ランドまたはグルーブのデータ記録部分からできている。セクタのデータ部分１６個で１エラー訂正ブロックを構成し、エラー訂正を行う。
【０００７】
次に、一般的なＤＶＤ−ＲＡＭにおけるアドレス情報の取得方法について説明する（例えば特許文献１参照）。上述したように、１セクタはヘッダ部及びデータ部から構成され、ヘッダ部にはＩＤ１、ＩＤ２、ＩＤ３、ＩＤ４がエンボスピット（Embossed pit）により形成されている。アドレス情報ＩＤ１〜ＩＤ４のいずれかを再生することで、当該セクタのアドレス情報を得ることができる。アドレス情報ＩＤ１及びＩＤ２は円周方向に対して同一位置に形成され、アドレス情報ＩＤ３及びＩＤ４も円周方向に同一位置に形成されている。また、アドレス情報ＩＤ１及びＩＤ２とアドレス情報ＩＤ３及びＩＤ４とは光ディスクの半径方向に離間して設けられている。
【０００８】
図８に示すように、光ピックアップからのレーザ光のスポットが紙面右方向に移動すると、まず、アドレス情報ＩＤ１及びＩＤ２が検出され、次にアドレス情報ＩＤ３及びＩＤ４が検出されることになる。ＤＶＤ−ＲＡＭでは記録密度向上のため、ランド及びグルーブの双方にデータが記録されるが、ランドに着目すると、アドレス情報ＩＤ１及びＩＤ２は、ディスクの内周側に形成され、アドレス情報ＩＤ３及びＩＤ４はディスクの外周側に形成される。また、グルーブに着目すると、ＩＤ１及びＩＤ２はディスクの外周側に形成され、アドレス情報ＩＤ３及びＩＤ４はディスクの内周側に形成される。従って、ランドとグルーブとでは、アドレス情報の位置が異なる。光ディスク装置は、このような位置の相違に基づき、ランドとグルーブを互いに区別することができる。
【０００９】
また、図８には、戻り光を電気信号に変換する４分割フォトディテクタ１を合わせて示す。４分割フォトディテクタ１はＡ〜Ｄの４つのフォトディテクタＤａ〜Ｄｄから構成され、（Ｄａ＋Ｄｄ）と（Ｄｂ＋Ｄｃ）とがトラック方向に分割されたフォトディテクタである。オントラック状態において、ランドでは（Ｄａ＋Ｄｄ）によりＩＤ１及びＩＤ２が検出され、（Ｄｂ＋Ｄｃ）によりＩＤ３及びＩＤ４を検出する。グルーブでは、（Ｄａ＋Ｄｄ）によりＩＤ３及びＩＤ４が検出され、（Ｄｂ＋Ｄｃ）によりＩＤ１及びＩＤ２が検出される。
【００１０】
図９は、４分割フォトディテクタ１からＲＦ信号を得るＲＦ信号生成回路を示す。図１０は、当該ＲＦ信号生成回路から出力されるＲＦ信号を示す模式図である。ＲＦ信号生成回路２００は、基準電圧Ｒｅｆがその＋端子（非反転入力端子）に入力され、４分割フォトディテクタ１の各検出信号Ｓａ〜Ｓｄがその−端子（反転入力端子）に入力されるＭＩＸＡＭＰ２０１と、ゲインコントロールアンプＧＣＡ２０２と、増幅部２０３とを有する。ＭＩＸＡＭＰ２０１にて、４分割フォトディテクタ１の各検出信号Ｓａ〜Ｓｄが合成され、ＧＣＡ２０２及び増幅部２０３にて適宜ゲイン調整されて得られたＲＦ信号が、出力ＲＦＯＵＴから出力される。図１０に示すように、出力ＲＦＯＵＴから出力されるＲＦ信号が、データ部においても、ヘッダ部においても、４分割フォトディテクタＤａ、Ｄｂ、Ｄｃ、Ｄｄからの信号の全ての和である（Ｓａ＋Ｓｂ＋Ｓｃ＋Ｓｄ）となっている。
【特許文献１】特開２００５−８５３２６号公報
【発明の開示】
【発明が解決しようとする課題】
【００１１】
上述の図８、図９に示すように、ＲＦ信号は、４分割フォトディテクタ１からの検出信号Ｓａ〜Ｓｄの総和として出力される。しかしながら、図７に示すように、オントラック状態において、ランド部では（Ｄａ＋Ｄｄ）によりアドレス情報ＩＤ１及びＩＤ２が検出され、（Ｄｂ＋Ｄｃ）によりアドレス情報ＩＤ３及びＩＤ４が検出される。ここで、（Ｄａ＋Ｄｄ）がアドレス情報ＩＤ１及びＩＤ２上のとき、（Ｄｂ＋Ｄｃ）はＭＩＲＲ面をトレースすることになる。また、（Ｄｂ＋Ｄｃ）がアドレス情報ＩＤ３及びＩＤ４上のとき、（Ｄａ＋Ｄｄ）はＭＩＲＲ面をトレースする。
【００１２】
このように、ＭＩＲＲ面をトレースすることで、ＭＩＲＲ面をトレースしているフォトディテクタに、本来必要としない、隣接トラックからのクロストーク信号が混入する。ここで、隣接トラックからのクロストーク信号とは、図８に示すように、例えばフォトディテクタ１におけるＤａ、Ｄｄによりランドトラックのアドレス情報ＩＤ１、ＩＤ２を再生しているときに、隣接グルーブトラックにおいて同一半径位置に形成されたアドレス情報ＩＤ１、ＩＤ２をフォトディテクタＤｂ、Ｄｃが再生してしまうことによる。つまり、４分割フォトディテクタ１のうち、トラック方向に２分割された２つのフォトディテクタの総和信号では、隣接トラックからのクロストークにより、ヘッダ部のノイズが多くなる。よって、図１０に示すヘッダ分のＲＦ信号にノイズが重畳され、エラーレートが悪化するという問題が生じる。
【課題を解決するための手段】
【００１３】
本発明にかかる光ディスク装置は、光ディスクにレーザ光を照射する照射部と、前記光ディスクのトラック方向に少なくとも２分割され、光ディスクからの戻り光を電気信号に変換して検出信号を出力するフォトディテクタと、フォトディテクタからの検出信号に基づき再生信号を生成する再生信号生成部とを有し、前記再生信号生成部は、再生領域に応じて前記フォトディテクタからの検出信号の一部又は全部を選択的に使用し、前記再生信号を生成するものである。
【００１４】
本発明においては、再生信号を、再生領域に応じて、フォトディテクタからの全ての検出信号又はその一部を使用して生成するため、不要な領域の検出信号を再生信号として使用しないようにすることができる。
【００１５】
本発明にかかる再生信号生成回路は、光ディスクにレーザ光を照射した戻り光を少なくとも２分割されたフォトディテクタにて検出し、当該検出信号から再生信号を生成する生成信号処理回路であって、アドレス情報を再生する際は、前記フォトディテクタからの一部の検出信号を使用して前記再生信号を生成するものである。
【００１６】
本発明においては、再生信号を、再生領域に応じて、フォトディテクタからの全ての検出信号又はその一部を使用して生成するため、不要な領域の検出信号を再生信号として使用しないようにすることができる。
【発明の効果】
【００１７】
本発明によれば、再生信号にノイズが重畳することを抑制し、エラーレートを向上させることができる再生信号生成回路、これを搭載した光ディスク装置、及びその再生方法を提供することができる。
【発明を実施するための最良の形態】
【００１８】
以下、本発明を適用した具体的な実施の形態について、図面を参照しながら詳細に説明する。この実施の形態は、本発明を、ＤＶＤ−ＲＡＭ対応の光ディスク装置に適用したものである。
【００１９】
先ず、光ディスク装置の概要について説明する。図１は本発明の実施の形態にかかる光ディスク装置の一部の構成を示す図である。光ディスク装置１００は、装着された光ディスク１０１を回転駆動するためのスピンドルモータ１０２と、半導体レーザ、対物レンズ、及びフォトディテクタ等から構成される光ピックアップ１０３と、この光ピックアップ１０３を光ディスク１０１の半径方向に移動させるための送りモータ１０４とを有している。この場合、光ピックアップ１０３の半導体レーザから照射されたレーザビームが光ディスク１０１の記録面で反射され、その反射光が光ピックアップ１０３を構成するフォトディテクタに検出される。
【００２０】
また、光ディスク装置１００は、ドライブ全体の動作を制御するコントローラ１０５と、サーボコントローラ１０６とを有している。サーボコントローラ１０６は、光ピックアップ１０３におけるトラッキングやフォーカスを制御し、また送りモータ１０４の動作を制御する。さらに、サーボコントローラ１０６はスピンドルモータ１０２の回転を制御する。
【００２１】
また、光ディスク装置１００は、光ピックアップ１０３を構成するフォトディテクタの出力信号を処理して再生ＲＦ信号ＳＲＦ、フォーカスエラー信号ＳＦＥ、トラッキングエラー信号ＳＴＥおよびプッシュプル信号ＳＰＰを作成するＲＦアンプ部１０７を有している。ここで、フォーカスエラー信号ＳＦＥは、アスティグマ法（非点収差法）によって作成される。そして、例えば、トラッキングエラー信号ＳＴＥは、再生時にはＤＰＤ法（位相差法）によって作成され、記録時にはプッシュプル法によって作成される。
【００２２】
このようにＲＦアンプ部１０７で作成されるフォーカスエラー信号ＳＦＥおよびトラッキングエラー信号ＳＴＥはサーボコントローラ１０６に供給され、このサーボコントローラ１０６では、これらのエラー信号を用いて、上述したように光ピックアップ１０３におけるトラッキングやフォーカスを制御する。
【００２３】
また、光ディスク装置１００は、ＲＦアンプ部１０７で作成された再生ＲＦ信号ＳＲＦの２値化スライス、その後の信号生成回路(Phase-Locked Loop)による同期データの生成等、一連のアナログ信号処理を行うリードチャネル部１０８と、リードチャネル部１０８で生成された同期データの復調、その後の誤り訂正等の処理を行う復調／ＥＣＣ部１０９とを有している。この復調／ＥＣＣ部１０９の出力データは、図示しない再生データ処理回路に供給される。
【００２４】
また、光ディスク装置１００は、アドレス処理部１１０を有している。このアドレス処理部１１０は、再生ＲＦ信号ＳＲＦよりリードチャネル部１０８で抽出されるアドレス情報をコントローラ１０５に転送する。また、プッシュプル信号ＳＰＰを処理してアドレス情報を得て、このプッシュプル信号から得られたアドレス情報もコントローラ１０５に転送する。さらに、光ディスク装置１００は、ＲＦアンプ部１０７で作成されたプッシュプル信号ＳＰＰよりウォブル信号を検出するウォブル検出部１１１を有している。
【００２５】
ここで、光ピックアップ１０３を構成するフォトディテクタとしては、図７に示すように、４分割フォトディテクタ１が用いられている。このフォトディテクタ１には、光ディスク１０１からの戻り光によるスポットＳＰが形成される。フォトディテクタ１を構成する４個のフォトダイオードＤａ〜Ｄｄの検出信号をＳａ〜Ｓｄとするとき、ＲＦ信号ＳＲＦは、ＳＲＦ＝Ｓａ＋Ｓｂ＋Ｓｃ＋Ｓｄとして求められる。
【００２６】
次に、このように構成された光ディスク再生装置における、本実施の形態にかかるＲＦアンプ部（以下、ＲＦ信号生成回路という。）について説明する。本実施の形態においては、再生時のアドレス情報を選択的に用いることにより、隣接トラックからのクロストークの影響を低減したアドレス情報のＲＦ信号ＳＲＦを得ることで、エラーレートを改善する。
【００２７】
図２は、本実施の形態にかかるＲＦ信号生成回路を示すブロック図である。本ＲＦ信号生成回路１０は、制御回路１１、ＭＩＸＡＭＰ１２、ＧＣＡ１３及び増幅器１４を有する。本構成は、上述した図８に示す従来の処理回路のＭＩＸＡＭＰの前段に、制御回路１１を設けた構成を有する。すなわち、ＲＦ信号生成回路１０は、４分割フォトディテクタ１の各検出信号Ｓａ〜ＳｄのＭＩＸＡＭＰ１２への入出力を制御する制御回路１１と、基準電圧Ｒｅｆがその＋端子（非反転入力端子）に入力され、制御回路１１により選択出力される検出信号Ｓａ〜Ｓｄがその−端子（反転入力端子）に入力されるＭＩＸＡＭＰ１２と、ゲインコントロールアンプＧＣＡ１２と、増幅部１３とを有する。ＭＩＸＡＭＰ１２にて、４分割フォトディテクタ１の各検出信号Ｓａ〜Ｓｄが合成され、ＧＣＡ１２及び増幅部１３にて適宜ゲイン調整され、出力ＲＦＯＵＴからＲＦ信号ＳＲＦが出力される。
【００２８】
制御回路１１は、フォトディテクタＤａ〜ＤｄとＭＩＸＡＭＰ１２との間に、それぞれスイッチングデバイスを設け、当該スイッチングデバイスを切り替えることで、フォトディテクタＤａ〜Ｄｄの各検出信号Ｓａ〜ＳｄをＭＩＸＡＭＰ１２に選択的に供給するよう制御する。
【００２９】
この制御回路１１は、再生領域に応じてフォトディテクタ１からの検出信号Ｓａ〜Ｓｄの一部又は全部を選択的に使用し、ＲＦ信号ＳＲＦを生成するよう制御する。再生領域とは、ＲＦ信号ＳＲＦを生成する領域であって、本実施の形態においてはデータ部及びヘッダ部を示す。制御回路１１は、再生領域において、トラックに記録されている信号（データ及びアドレス情報）の半径方向の偏りに応じ、検出信号Ｓａ〜Ｓｄを選択出力させる。すなわち、上記信号の偏りに応じ、ランドトラックの内周側又はグルーブトラックの内周側に記録されたアドレス情報領域を再生する際は、フォトディテクタＤａ、Ｄｄの検出信号Ｓａ、Ｓｄを出力させ、ランドトラックの外周側又はグルーブトラックの外周側に記録されたアドレス情報領域を再生する際は、フォトディテクタＤｂ、Ｄｃの検出信号Ｓｂ、Ｓｃを出力させ、トラックの中央に記録されたデータ部領域の信号を再生する際は、フォトディテクタＤａ〜Ｄｄの全ての検出信号Ｓａ〜Ｓｄを出力させる。このように再生領域におけるトラックに記録された信号の半径方向の偏りに応じてトラックを複数の領域に分け、当該領域に応じて検出信号Ｓａ〜Ｓｄのうち必要なもののみをＭＩＸＡＭＰ１２に出力させるようにする。
【００３０】
つまり、本実施の形態においては、ヘッダ部を再生する際に、ランドトラックのアドレス情報ＩＤ１及びＩＤ２、又はグルーブトラックのアドレス情報ＩＤ３、ＩＤ４を再生するときは、フォトディテクタＤａ及びＤｄの検出信号Ｓａ及びＳｄのみをＭＩＸＡＭＰ１２に供給させ、ランドトラックのアドレス情報ＩＤ３及びＩＤ４、又はグルーブトラックのアドレス情報ＩＤ１、ＩＤ２を再生するときは、フォトディテクタＤｂ及びＤｃの検出信号Ｓｂ及びＳｃのみをＭＩＸＡＭＰ１２に供給させるよう制御可能に構成される。また、データ部を再生する際には、従来どおり、各フォトディテクタＤａ〜Ｄｄの検出信号全てを供給させるよう制御する。
【００３１】
図３は、制御回路１１の一具体例を示す図、図４は、その制御回路に使用される制御信号を示す図、図５は、その制御回路により選択出力される検出信号を説明する図、図６は、そのＲＦ信号ＳＲＦを模式的に示す図である。
【００３２】
図３に示すように、制御回路１１は、制御信号Ｓ１及びＳ２をデコードする論理回路部２０、及びフォトディテクタＤａ〜Ｄｄとそれぞれ抵抗を介したＭＩＸＡＮＰ１２との間に設けられるスイッチＳＷＡ〜ＳＷＤを有する。論理回路部２０は、制御信号Ｓ１及びＳ２を入力とするＯＲ回路２１と、制御信号Ｓ１及びＳ２を入力とするＮＯＲ回路２２と、制御信号Ｓ１及びＮＯＲ回路２２の出力を入力とするＯＲ回路２３とを有する。この制御回路１０においては、論理回路部２０により、制御信号Ｓ１及びＳ２をデコードし、制御信号Ｓ１１、Ｓ１２を生成する。そして、制御信号Ｓ１１にてスイッチＳＷＡ、ＳＷＤのオン・オフを制御し、制御信号Ｓ１２にてスイッチＳＷＢ、ＳＷＣのオン・オフを制御する。
【００３３】
ここで、図４に示す制御信号Ｓ１、Ｓ２は、ディスク挿入後ＣＡＰＡアドレスを読出し、読み出したＣＡＰＡアドレスに基づきコントローラ１０５にて生成することができる。この制御信号Ｓ１、Ｓ２は、上述したように、再生領域におけるトラックに記録された信号の半径方向の偏りに応じて複数に区分されたトラック領域毎に、検出信号Ｓａ〜Ｓｄのうち必要なもののみをＭＩＸＡＭＰ１２に出力させるようスイッチＳＷＡ〜ＳＷＤを制御する信号である。
【００３４】
上述したように、オントラック状態において、ランドではフォトディテクタ（Ｄａ＋Ｄｄ）により、アドレス情報ＩＤ１及びＩＤ２が検出でき、フォトディテクタ（Ｄｂ＋Ｄｃ）によりアドレス情報ＩＤ３及びＩＤ４をそれぞれ検出できる。また、グルーブでは、フォトディテクタ（Ｄａ＋Ｄｄ）によりアドレス情報ＩＤ３及びＩＤ４が検出でき、フォトディテクタ（Ｄａ＋Ｄｃ）によりアドレス情報ＩＤ１及びＩＤ２がそれぞれ検出される。
【００３５】
すなわち、ランドを再生する際、アドレス情報ＩＤ１及びＩＤ２を再生する場合、フォトディテクタ（Ｄａ＋Ｄｄ）からの検出信号Ｓａ、Ｓｄしか必要とせず、その間、フォトディテクタ（Ｄｂ＋Ｄｃ）の検出信号Ｓｂ、Ｓｃは不要である。よって、フォトディテクタ（Ｄａ＋Ｄｄ）の検出信号Ｓａ、ＳｄのみをＭＩＸＡＭＰ１２へ供給させる。また、アドレス情報ＩＤ３及びＩＤ４を再生する場合、フォトディテクタ（Ｄｂ＋Ｄｃ）からの検出信号Ｓｂ、Ｓｃしか必要とせず、フォトディテクタ（Ｄａ＋Ｄｄ）の検出信号Ｓａ、Ｓｄは不要である。よって、フォトディテクタ（Ｄｂ＋Ｄｃ）の検出信号Ｓｂ、ＳｃのみをＭＩＸＡＭＰ１２へ供給させる。グルーブにおいても同様で、アドレス情報ＩＤ１及びＩＤ２を検出するフォトディテクタの検出信号のみをＭＩＸＡＭＰへ供給するよう制御する。
【００３６】
具体的には、図４及び図５に示すように、制御回路１１は、制御信号Ｓ１がハイレベルＨであれば、全てのスイッチＳＷＡ〜ＳＷＤがオンし、全ての検出信号Ｓａ〜ＳｄをＭＩＸＡＭＰ１２へ供給する。制御信号Ｓ１及びＳ２がロウレベルＬであれば、スイッチＳＷＢ、ＳＷＣのみをオンし、検出信号Ｓｂ及びＳｃのみをＭＩＸＡＭＰ１２へ供給する。制御信号Ｓ１及びＳ２がそれぞれロウレベルＬ及びハイレベルＨであれば、スイッチＳＷＡ、ＳＷＤのみをオンし、検出信号Ｓａ及びＳｄのみをＭＩＸＡＭＰ１２へ供給する。
【００３７】
こうして検出信号Ｓａ〜Ｓｄは、制御回路１１を介してＭＩＸＡＭＰ１２へ選択的に入力される。このＭＩＸＡＭＰ１２にて選択入力された検出信号Ｓａ〜Ｓｄが加算され、後段のＧＣＡ１３及びＡＭＰ１４により適正なゲインにコントロールされ、ＲＦＯ端子からＲＦ信号ＳＲＦが出力される。
【００３８】
図６に示すように、データ部の再生時には、４分割フォトディテクタＤａ、Ｄｂ、Ｄｃ、Ｄｄからの検出信号Ｓａ、Ｓｂ、Ｓｃ、Ｓｄの全ての和である総和信号（Ｓａ＋Ｓｂ＋Ｓｃ＋Ｓｄ）がＲＦ信号ＳＲＦとして出力ＲＦＯＵＴから出力される。また、ランドのヘッダ部の再生時には、アドレス情報ＩＤ１、ＩＤ２が記録されている区間では（Ｓａ＋Ｓｄ）の和信号出力がＲＦ信号ＳＲＦとして出力され、ＩＤ３、ＩＤ４が記録されている区間では（Ｓｂ＋ＳＣ）の和信号出力をＲＦ信号ＳＲＦとして出力される。一方、グルーブのヘッダ部の生成時には、ＩＤ１、ＩＤ２が記録されている区間では（Ｓｂ＋Ｓｃ）の和信号出力がＲＦ信号ＳＲＦとして出力され、ＩＤ３、ＩＤ４が記録されている区間では（Ｓａ＋Ｓｃ）の和信号出力がＲＦ信号ＳＲＦとして出力される。
【００３９】
なお、本実施の形態においては、制御信号Ｓ１、Ｓ２を使用し、スイッチ４つを制御する構成としたが、４分割フォトディテクタ１からの検出信号Ｓａ〜Ｓｄのうち、トラック方向に分割したときの一方側の検出信号の和Ｓａ＋Ｓｄと、他方側の検出信号の和Ｓｂ＋Ｓｃと、全ての検出信号の総和Ｓａ＋Ｓｂ＋Ｓｃ＋Ｓｄとを選択的に出力できればよく、制御回路及び制御信号は、上記構成に限るものではない。
【００４０】
本実施の形態においては、ＤＶＤ−ＲＡＭ対応光ディスク装置において、ＭＩＸＡＭＰ１２の入力段に配置された制御回路１１において、ＲＦＯ端子に出力する検出信号Ａ〜Ｄをセレクトする。これにより、ＲＦ信号ＳＲＦとして、総和信号（Ｓａ＋Ｓｂ＋Ｓｃ＋Ｓｄ）、和信号（Ｓａ＋Ｓｄ）、又は（Ｓｂ＋Ｓｄ）信号の３通りのＲＦ信号ＳＲＦを選択出力する。
【００４１】
そして、データ部及びヘッダ部からなる再生領域において、トラックにおける半径方向の信号の偏りに応じ、ＲＦ信号ＳＲＦを検出信号Ｓａ〜Ｓｄの総和でなく、選択して出力するようにしたので、データ部、ヘッダ部の再生時に、必要な検出信号Ｓａ〜Ｓｄのみを選択して最適なＲＦ信号ＳＲＦを得ることができる。具体的にはヘッダ部において、和信号（Ｓａ＋Ｓｄ）又は（Ｓｂ＋Ｓｃ）を選択することで、隣接トラックからのクロストークの影響を受けないＲＦ信号ＳＲＦを再生することができる。これにより、エラーレートの向上を図ることができる。
【００４２】
なお、本発明は上述した実施の形態のみに限定されるものではなく、本発明の要旨を逸脱しない範囲において種々の変更が可能であることは勿論である。例えば、本実施の形態においては、４分割フォトディテクタを例にとって説明したが、トラック方向に２分割された２分割フォトディテクタであっても同様の効果を奏する。また、本実施の形態においては、アドレス情報を再生する際にはフォトディテクタからの検出信号のうち必要な検出信号のみを使用して再生信号を生成する例について説明したが、これに限らず、再生する領域に応じて、フォトディテクタからの信号のうち必要な信号のみを使用してＲＦ信号ＳＲＦを得ることで、不要なノイズが重畳されることを低減することができる。
【図面の簡単な説明】
【００４３】
【図１】本発明の実施の形態にかかる光ディスク装置の一部の構成を示す図である。
【図２】本発明の実施の形態にかかるＲＦ信号生成回路を示すブロック図である。
【図３】本発明の実施の形態にかかるＲＦ信号生成回路における制御回路の一具体例を示す図である。
【図４】本発明の実施の形態にかかるＲＦ信号生成回路における制御回路の制御信号を示す図である。
【図５】本発明の実施の形態にかかるＲＦ信号生成回路における制御回路により選択出力される検出信号を説明する図である。
【図６】本発明の実施の形態にかかるＲＦ信号生成回路にて生成されたＲＦ信号を模式的に示す図である。
【図７】ＤＶＤ−ＲＡＭのフォーマットを示す模式図である。
【図８】ＤＶＤ−ＲＡＭのセクタ構成を示す模式図である。
【図９】４分割フォトディテクタからＲＦ信号を得る従来のＲＦ信号生成回路を示す図である。
【図１０】従来のＲＦ信号生成回路から出力されるＲＦ信号を示す模式図である。
【符号の説明】
【００４４】
１０  信号生成回路
１１  制御回路
１２  ＭＩＸＡＭＰ
１３  増幅部
１４  増幅器
２０  論理回路
２１，２３  ＯＲ回路
２２  ＮＯＲ回路
１００  光ディスク装置
１０１  光ディスク
１０２  スピンドルモータ
１０３  光ピックアップ
１０４  モータ
１０５  コントローラ
１０６  サーボコントローラ
１０７  ＲＦアンプ部
１０８  リードチャネル部
１０９  復調／ＥＣＣ部
１１０  アドレス処理部
１１１  ウォブル検出部
【図１】
2007257677.tif 000003
【図２】
2007257677.tif 000004
【図３】
2007257677.tif 000005
【図４】
2007257677.tif 000006
【図５】
2007257677.tif 000007
【図６】
2007257677.tif 000008
【図７】
2007257677.tif 000009
【図８】
2007257677.tif 000010
【図９】
2007257677.tif 000011
【図１０】
2007257677.tif 000012